(57)【要約】【課題】  ネットワークの異なる予約事項があっても、ネットワーク毎の時刻情報を取得し、時差を管理し、また、現在時刻情報が随時取得できないネットワークに関しても、正確な予約開始処理及び終了処理を行うことができる予約機能付き機器及び予約時刻管理方を提供する。【解決手段】  予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、接続した複数のネットワークからの情報を取得し予約を実行する予約機能付き機器１１において、待機状態であり任意のときに、ネットワーク毎に時刻情報を取得し、機器の時刻と各ネットワークの時刻の時差を常に記憶する記憶手段を備え、記憶した時差情報をもとに正確な予約開始処理及び終了処理を行う。【選択図】      図１
2005195457.tif 000002
【特許請求の範囲】
【請求項１】
予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、接続した複数のネットワークからの情報を取得し予約を実行する予約機能付き機器において、待機状態であり任意のときに、ネットワーク毎に時刻情報を取得し、機器の時刻と各ネットワークの時刻の時差を常に記憶する記憶手段を備え、記憶した時差情報をもとに正確な予約開始処理及び終了処理を行うことを特徴とする予約機能付き機器。
【請求項２】
予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、接続した複数のネットワークからの情報を取得し予約を実行する予約機能付き機器において、待機状態であり任意のとき、随時現在時刻情報が取得できるネットワークには時刻情報を取得し、一定時刻にしか時刻情報をとることができないネットワークには取得できる特定の時間に時刻情報を取得し、それぞれ機器の時刻とネットワークの時刻の時差を常に記憶する記憶手段を備え、それぞれ記憶した時差情報をもとに正確な予約開始処理及び終了処理を行うことを特徴とする予約機能付き機器。
【請求項３】
予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、接続した複数のネットワークからの情報を取得し予約を実行する予約機能付き機器において、常時、ネットワークの時刻情報を取得し、機器の時刻とネットワークの時刻の時差を記憶しておくネットワークと、任意のときにネットワークの時刻情報を取得し機器の時刻とネットワークの時刻の時差を記憶しておくネットワークを指定する指定手段と、該指定手段による指定により、ネットワーク毎に時刻情報を取得し、機器の時刻と各ネットワークの時刻の時差を常に記憶する記憶手段とを備え、記憶した時差情報をもとに正確な予約開始処理及び終了処理を行うことを特徴とする予約機能付き機器。
【請求項４】
予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、接続した複数のネットワークからの情報を取得し予約を実行する予約機能付き機器の予約時刻管理方法において、
待機状態であり任意のときに、ネットワーク毎に時刻情報を取得し、機器の時刻と各ネットワークの時刻の時差を常に記憶し、記憶した時差情報をもとに正確な予約開始処理及び終了処理を行うことを特徴とする予約時刻管理方法。
【請求項５】
予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、接続した複数のネットワークからの情報を取得し予約を実行する予約機能付き機器の予約時刻管理方法において、
待機状態であり任意のとき、随時現在時刻情報が取得できるネットワークには時刻情報を取得し、一定時刻にしか時刻情報をとることができないネットワークには取得できる特定の時間に時刻情報を取得し、それぞれ機器の時刻とネットワークの時刻の時差を常に記憶し、それぞれ記憶した時差情報をもとに正確な予約開始処理及び終了処理を行うことを特徴とする予約時刻管理方法。
【請求項６】
予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、接続した複数のネットワークからの情報を取得し予約を実行する予約機能付き機器の予約時刻管理方法において、
常時、ネットワークの時刻情報を取得し、機器の時刻とネットワークの時刻の時差を記憶しておくネットワークと、任意のときにネットワークの時刻情報を取得し機器の時刻とネットワークの時刻の時差を記憶しておくネットワークを指定し、該指定により、ネットワーク毎に時刻情報を取得し、機器の時刻と各ネットワークの時刻の時差を常に記憶し、記憶した時差情報をもとに正確な予約開始処理及び終了処理を行うことを特徴とする予約時刻管理方法。
【発明の詳細な説明】
【技術分野】
【０００１】
本発明は、予約機能付き機器及び予約時刻管理方法であり、予約機能を持った機器の予約時刻管理方法及び機器に関する。
【背景技術】
【０００２】
予約機能を有する機器において、時刻指定による正確な予約開始動作、および、終了動作を行うことは必要不可欠のことである。
【０００３】
単一のネットワーク下におかれた予約動作に関していえば、そのネットワークの保有する時刻情報を、機器の時刻とすることによって、正確な予約開始、終了動作を行うことが可能である。ここでいうネットワークの時刻情報とは、日本標準時で示される時刻や、デジタル放送において送出される各チャンネルの時刻情報や、ＧＰＳなどの時刻情報、インターネット上におけるサーバーの保持する時刻情報などのことを指す。たとえば、デジタル放送番組を記録する機器にて予約動作を行う場合、衛星波、もしくは地上波等で受け取る電波の中に時刻情報が入っており、現在時刻がわかる仕組みになっている。よって、この時刻情報にあわせて機器の時刻とすることで、正確な予約動作を行うことができる。時刻を修正する提案として、特許文献１が知られている。
【特許文献１】特開２００２−２３６１８７号公報
【発明の開示】
【発明が解決しようとする課題】
【０００４】
各ネットワーク間の時刻に関しては、それぞれ誤差が生じる。たとえば、テレビ放送においては、放送局から機器が時刻情報を認識するまでの伝達媒体、または、視聴機器性能によって、日本標準時より遅れ、また、ネットワーク間で誤差がでることが知られている。また、インターネット上のサーバーにおいても、正確に日本標準時に合わせている保障はないので、日本標準時から誤差が出てくる。よって、機器が異なるネットワークの時刻情報を参照していた場合、正確な予約開始、および、終了動作を行うことができない。
【課題を解決するための手段】
【０００５】
項１及び項４に記載の発明では、上記課題を解決するために、機器がユーザが使わない状態や機器が一定時間動作しないと分かっている待機状態であるときに、機器に接続されている、現在時刻情報が取得できる全ネットワークに対してチューニングを行い、ネットワークの時刻情報を取得する。そして、機器の現在時刻とネットワークの時刻情報の時差を記憶する。これにより、機器の時刻があるネットワークの時刻を参照していた場合に、予約事項が異なるネットワークのものであった場合、正確な予約開始処理、および、終了処理を行うことができる。また、この機能を備えることを特徴とする機器である。本特許では、機器とは、ビデオ、ハードディスクレコーダー、パソコン等、ネットワークに接続し、予約動作を行う機器全般を指す。
【０００６】
項２及び項５に記載の発明では、上記課題を解決するために、機器が待機状態であるときに時刻情報がすぐに取得できるネットワークの場合には任意に時刻情報を取得し、一定時刻にしか時刻情報をとることができないネットワークに関してはその時間に時刻情報を取得し、ネットワーク間の時差を記憶する。このことにより、正確な予約開始処理、および、終了処理を行うことができる。また、この機能を備えることを特徴とする機器である。
【０００７】
項３及び項６に記載の発明では、上記課題を解決するために、常時ネットワークの時刻情報を取得し時差を記憶するネットワークと、任意のときにネットワークの時刻情報を取得し時差を記憶するネットワークを指定する。このことにより、正確な予約開始処理、および、終了処理を行うことができることを特徴とする予約管理手段。また、その機能を備えたことを特徴とする機器である。
【０００８】
すなわち、本発明１は、予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、接続した複数のネットワークからの情報を取得し予約を実行する予約機能付き機器において、待機状態であり任意のときに、ネットワーク毎に時刻情報を取得し、機器の時刻と各ネットワークの時刻の時差を常に記憶する記憶手段を備え、記憶した時差情報をもとに正確な予約開始処理及び終了処理を行う予約機能付き機器である。
【０００９】
また、本発明２は、予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、接続した複数のネットワークからの情報を取得し予約を実行する予約機能付き機器において、待機状態であり任意のとき、随時現在時刻情報が取得できるネットワークには時刻情報を取得し、一定時刻にしか時刻情報をとることができないネットワークには取得できる特定の時間に時刻情報を取得し、それぞれ機器の時刻とネットワークの時刻の時差を常に記憶する記憶手段を備え、それぞれ記憶した時差情報をもとに正確な予約開始処理及び終了処理を行う予約機能付き機器である。
【００１０】
そして、本発明３は、予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、接続した複数のネットワークからの情報を取得し予約を実行する予約機能付き機器において、常時、ネットワークの時刻情報を取得し、機器の時刻とネットワークの時刻の時差を記憶しておくネットワークと、任意のときにネットワークの時刻情報を取得し機器の時刻とネットワークの時刻の時差を記憶しておくネットワークを指定する指定手段と、該指定手段による指定により、ネットワーク毎に時刻情報を取得し、機器の時刻と各ネットワークの時刻の時差を常に記憶する記憶手段とを備え、記憶した時差情報をもとに正確な予約開始処理及び終了処理を行う予約機能付き機器である。
【００１１】
更に、本発明４は、予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、接続した複数のネットワークからの情報を取得し予約を実行する予約機能付き機器の予約時刻管理方法において、待機状態であり任意のときに、ネットワーク毎に時刻情報を取得し、機器の時刻と各ネットワークの時刻の時差を常に記憶し、記憶した時差情報をもとに正確な予約開始処理及び終了処理を行う予約時刻管理方法である。
【００１２】
また、本発明５は、予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、接続した複数のネットワークからの情報を取得し予約を実行する予約機能付き機器の予約時刻管理方法において、待機状態であり任意のとき、随時現在時刻情報が取得できるネットワークには時刻情報を取得し、一定時刻にしか時刻情報をとることができないネットワークには取得できる特定の時間に時刻情報を取得し、それぞれ機器の時刻とネットワークの時刻の時差を常に記憶し、それぞれ記憶した時差情報をもとに正確な予約開始処理及び終了処理を行う予約時刻管理方法である。
【００１３】
そして、本発明６は、予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、接続した複数のネットワークからの情報を取得し予約を実行する予約機能付き機器の予約時刻管理方法において、常時、ネットワークの時刻情報を取得し、機器の時刻とネットワークの時刻の時差を記憶しておくネットワークと、任意のときにネットワークの時刻情報を取得し機器の時刻とネットワークの時刻の時差を記憶しておくネットワークを指定し、該指定により、ネットワーク毎に時刻情報を取得し、機器の時刻と各ネットワークの時刻の時差を常に記憶し、記憶した時差情報をもとに正確な予約開始処理及び終了処理を行う予約時刻管理方法である。
【発明の効果】
【００１４】
本発明によれば、ネットワークの異なる予約事項があっても、ネットワーク毎の時刻情報を取得し、時差を管理することで、正確な予約開始処理、および、終了処理を行うことができる。また、現在時刻情報が随時取得できないネットワークに関しても、正確な予約開始処理及び終了処理を行うことができる。
【発明を実施するための最良の形態】
【００１５】
以下、本発明を実施するための最良の形態について説明する。
本発明の予約機能付き機器の実施例を説明する。ビデオ、ハードディスクレコーダー、パソコン等、ネットワークに接続し、予約動作機能を持った機器を対象とする。また、本発明では、ネットワークとは、インターネットやテレビ放送における地上／ＢＳ／ＣＳ放送などコンテンツの伝送媒体のことを指す。よって、ネットワークの時刻情報とは、日本標準時で示される時刻や、デジタルテレビ放送において送出される各チャンネルの時刻情報や、アナログテレビ放送における時報、インターネット上におけるサーバーの保持する時刻情報のことを指す。
【００１６】
図１は、さまざまなネットワークからの信号を予約機能付き機器１１が受けることを示したものである。ＢＳ／ＣＳデジタル放送による衛星経由の放送、地上デジタル放送、地上アナログによる地上経由の放送、ストリーミングなどインターネット経由の番組配信などさまざまなネットワークから、予約機能付き機器１１は情報を受け取る。この機器の時刻情報は、放送などからの現在時刻情報によったものでもよいし、ユーザーが設定した時刻情報でもよい。一般的にデジタル放送など現在時刻情報が得られる場合には、機器の時刻は、そのネットワークの時刻情報になることが多い。
【００１７】
実施例１を説明する。本実施例の予約機能付き機器は、予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、接続した複数のネットワークからの情報を取得し予約を実行し、そして、待機状態であり任意のときに、ネットワーク毎に時刻情報を取得し、機器の時刻と各ネットワークの時刻の時差を常に記憶する記憶手段を備え、記憶した時差情報をもとに正確な予約開始処理及び終了処理を行う。
【００１８】
図２は、実施例１の予約機能付き機器１１が待機状態になり任意のときに各ネットワークの時刻情報をもとに時差の登録を行う手順の一例を示したものである。予約機能付き機器１１が待機状態で任意のときに、ネットワーク確認２２にて機器が認識できるネットワークを確認する。ネットワークチューニング２３で、ネットワーク確認２２で認識したネットワークにチューニングを行う。そして、時刻情報取得２４にて現在時刻情報を取得する。時差登録２５にて、機器の現在時刻との時差を登録する。もし、現在時刻情報が随時流れているネットワークにチューニングしたときに機器の時刻情報もそのネットワークの時刻情報に変わる機器であれば、この工程中は機器の時刻情報を変更させない。時差登録がすべてのネットワーク分終了したときに、待機状態２１のときにチューニングされていたネットワークにチューニングを行う。このことにより、ネットワークによる時差を考慮した正確な予約開始処理、および、終了処理を行うことができる。
【００１９】
実施例２を説明する。本実施例の予約機能付き機器１１は、予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、接続した複数のネットワークからの情報を取得し予約を実行し、そして、待機状態であり任意のとき、随時現在時刻情報が取得できるネットワークには時刻情報を取得し、一定時刻にしか時刻情報をとることができないネットワークには取得できる特定の時間に時刻情報を取得し、それぞれ機器の時刻とネットワークの時刻の時差を常に記憶する記憶手段を備え、それぞれ記憶した時差情報をもとに正確な予約開始処理及び終了処理を行う。
【００２０】
図３は、実施例２の予約機能付き機器１１が、各ネットワークの時差情報を得た状態にて、予約処理を行う手順の一例である。機器が予約を実行できるような状態、予約実行待機状態３１であるとき、次に行う予約事項のネットワーク確認３２にて、予約事項のネットワークを確認する。ネットワーク時差確認３３にて、予約機能付き機器の現在時刻と機器とネットワークの時差をもとに、機器が保持している時刻による予約の開始時刻と終了時刻を算出する。これにより、時差考慮予約実行待機状態３４の状態になり、それに基づき、ネットワークによる時差を考慮した正確な予約開始処理、および、終了処理を行うことができる。ただし、現在時刻情報が随時流れているネットワークにチューニングしたときに機器の時刻情報もそのネットワークの時刻情報に変わる機器であれば、予約開始時刻のみ算出すればよい。
【００２１】
実施例３を説明する。本実施例の予約機能付き機器は、予約開始時刻と予約終了時刻とからなる予約時間帯情報、予約ネットワーク情報及び予約実行内容を含む予約事項を登録する予約時間帯登録手段と、登録した予約事項に基づき予約開始時刻と予約終了時刻に予約実行内容を開始し終了する予約実行手段とを備え、接続した複数のネットワークからの情報を取得し予約を実行し、そして、常時、ネットワークの時刻情報を取得し、機器の時刻とネットワークの時刻の時差を記憶しておくネットワークと、任意のときにネットワークの時刻情報を取得し機器の時刻とネットワークの時刻の時差を記憶しておくネットワークを指定する指定手段と、該指定手段による指定により、ネットワーク毎に時刻情報を取得し、機器の時刻と各ネットワークの時刻の時差を常に記憶する記憶手段とを備え、記憶した時差情報をもとに正確な予約開始処理及び終了処理を行う。
【００２２】
図４は、実施例３の予約機能付き機器１１が待機状態４１になったときに、ネットワークの時刻情報の性質を考慮し、各ネットワークの時刻情報をもとに時差の登録を行う手順を示したものである。予約機能付き機器１１が待機状態で任意のときに、ネットワーク確認４２にて機器が認識できるネットワークを確認する。この時に、デジタル放送など、現在時刻情報がネットワーク上にある場合には、ネットワークチューニング４４ａに、ない場合にはチューニング待機４３に遷移する。
【００２３】
ネットワークに現在時刻情報がある場合には、ネットワークチューニング４４ａにてネットワークにチューニングを行う。そして、時刻情報取得４５ａにて現在時刻情報を取得する。そして、時差登録４６ａにて、機器の現在時刻情報とネットワークの現在時刻情報との時差を登録する。もし、現在時刻情報が随時流れているネットワークにチューニングしたときに機器の時刻情報もそのネットワークの時刻情報に変わる機器であれば、この工程中は機器の時刻情報を変更させない。時差登録４６ａが該当ネットワーク分終了したときに、待機状態４１のときにチューニングされていたネットワークにチューニングを行う。
【００２４】
ネットワークに現在時刻情報がない場合には、現在時刻情報が分かることができる時間になるまでチューニング待機４３の状態になる。アナログ放送でいえば、現在時刻情報が分かるのは時報などがある。その時間になったら、ネットワークチューニング４５ｂにてネットワークにチューニングを行う。そして、時刻情報取得４５ｂにて現在時刻情報を
取得する。そして、時差登録４６ｂにて、機器の現在時刻情報とネットワークの現在時刻情報との時差を登録する。時差登録４６ｂがすべてのネットワーク分終了したときに、待機状態４１のときにチューニングされていたネットワークにチューニングを行う。
【００２５】
以上の方法によって、随時ネットワークに現在時刻情報がなくとも、時差情報を登録することができ、ネットワークによる時差を考慮した正確な予約開始処理、および、終了処理を行うことができる。
【００２６】
実施例４を説明する。本実施例の予約機能付き機器１１は、実施例３と同様である。図５は、実施例４の予約機能付き機器１１が待機状態５１になったときに、ネットワークの時刻情報の性質と処理の高速化等を考慮し、各ネットワークの時刻情報をもとに時差の登録を行う手順を示したものである。予約機能付き機器１１が待機状態５１であるときに、ネットワーク確認５２にて機器が認識できるネットワークを確認する。ここで、ネットワーク接続設定５３の情報を用いる。これは、ネットワーク毎に現在時刻情報を取得する方法を設定するものである。ユーザー定義や機器がユーザーの視聴頻度をチェックするなどして、ネットワーク別に常に時刻が正しい状態になっているネットワークと、任意な時に時刻情報を取得するネットワークを設定する。例としては、ネットワーク時刻設定は、ユーザーがよく視聴や予約を入れるネットワークに関しては、常時時刻取得ネットワーク設定になり、あまり視聴しないネットワークや、常時現在時刻情報を受け取ることができないネットワークに関しては、任意時刻取得ネットワーク設定になる設定があげられる。
【００２７】
ネットワーク確認５２で、常時時刻取得ネットワークと判断されたネットワークに関しては、ネットワークチューニング５５ａに、任意時刻取得ネットワークと判断されたネットワークに関しては、チューニング待機５４に遷移する。
【００２８】
常時時刻取得ネットワークの場合には、ネットワークチューニング５５ａにてチューニングを行う。そして、時刻情報取得５６ａにて現在時刻情報を取得する。さらに、時差登録５７ａにて、機器の現在時刻情報とネットワークの現在時刻情報との時差を登録する。もし、現在時刻情報が随時流れているネットワークにチューニングしたときに機器の時刻情報もそのネットワークの時刻情報に変わる機器であれば、この工程中は機器の時刻情報を変更させない。時差登録５７ａが該当ネットワーク分終了したときに、待機状態５１のときにチューニングされていたネットワークにチューニングを行う。
【００２９】
任意時刻取得ネットワークの場合には、現在時刻情報が分かるまでチューニング待機５４の状態になる。
【００３０】
現在時刻情報が常時流れているネットワークに関しては、ネットワークチューニング５５ｂに遷移する。そして、時刻情報取得５６ｂにて現在時刻情報を取得する。そして、時差登録５７ｂにて、機器の現在時刻情報とネットワークの現在時刻情報との時差を登録する。もし、現在時刻情報が随時流れているネットワークにチューニングしたときに機器の時刻情報もそのネットワークの時刻情報に変わる機器であれば、この工程中は機器の時刻情報を変更させない。時差登録５７ｂが該当ネットワーク分終了したときに、待機状態５１のときにチューニングされていたネットワークにチューニングを行う。
【００３１】
ネットワークに現在時刻情報がない場合には、現在時刻情報が分かることができる時間になるまでチューニング待機５４の状態になる。アナログ放送でいえば、現在時刻情報が分かるのは時報などがある。その時間になったら、ネットワークチューニング５５ｂにてネットワークにチューニングを行う。そして、時刻情報取得５６ｂにて現在時刻情報を取得する。そして、時差登録５７ｂにて、機器の現在時刻情報とネットワークの現在時刻情報との時差を登録する。時差登録５７ｂが該当ネットワーク分終了したときに、待機状態５１のときにチューニングされていたネットワークにチューニングを行う。
【００３２】
以上の方法によって、ネットワークに現在時刻情報がなくとも、時差情報を登録することができ、また、普段用いないネットワークに関してへのチューニングは不必要の時には行わないなど、時差の取得に時間をかけることなく処理することができる。これによって、ネットワークによる時差を考慮した正確な予約開始処理、および、終了処理を行うことができる。
【図面の簡単な説明】
【００３３】
【図１】実施例の予約機能付き機器が複数ネットワークに接続している様子を示す図。
【図２】実施例１の予約機能付き機器が待機状態になり、各ネットワークの時刻情報をもとに時差の登録を行う手順の一例を示す図。
【図３】実施例２の予約機能付き機器が、各ネットワークの時差情報を得た状態にて、予約処理を行う手順の一例を示す図。
【図４】実施例３の予約機能付き機器が待機状態になり、ネットワークの時刻情報の性質を考慮し、各ネットワークの時刻情報をもとに時差の登録を行う手順の一例を示す図。
【図５】実施例４の予約機能付き機器が待機状態になり、ネットワークの時刻情報の性質と処理の高速化等を考慮し、各ネットワークの時刻情報をもとに時差の登録を行う手順の一例を示す図。
【符号の説明】
【００３４】
１１  予約機能付き機器
【図１】
2005195457.tif 000003
【図２】
2005195457.tif 000004
【図３】
2005195457.tif 000005
【図４】
2005195457.tif 000006
【図５】
2005195457.tif 000007